(57)【要約】【課題】プレゼンターの負担が軽減され、より円滑なプレゼンテーションを実施することができる資料提示装置を提供する。【解決手段】ディスプレイ１４とプロジェクタ４０の２系統に撮像部画像、記憶画像または外部画像を出力し、それら出力画像の切り換え、画面送り／戻し、さらには画面送り／戻しの連動を、操作パネル１６の所定キーで実行させる。【選択図】　　　　図４
2004023530.tif 000002
【特許請求の範囲】
【請求項１】
資料を撮影する撮像部と、
この撮像部による撮像および／または他の画像データを記憶する記憶部と、
プレゼンターが視認するディスプレイと、
出力画像を切り換え操作するための操作部と、
前記撮像部により撮影された撮像部画像、前記記憶部に記憶された記憶画像、接続された外部装置の外部画像の各データが入力されるとともに、これら画像データを、前記操作部の出力画像切り換え信号に応じて、前記ディスプレイおよび聴衆等に対する画像出力部に供給する制御部とを備え、
前記操作部には、
前記ディスプレイおよび前記画像出力部のそれぞれに対し、
前記撮像部画像、前記記憶画像、前記外部画像のいずれのデータを出力させるかを選択する画像切換部と、
画面送り／戻しさせる対象画像が、前記記憶画像と前記外部画像のうちの一方、あるいは双方かを選択し、一方を選択した場合にはその選択画像に対して画面送り／戻しを行い、双方を選択した場合には、それらの画像を連動させて画面送り／戻しを行うことができる画面送り部と
が設けられていることを特徴とする資料提示装置。
【請求項２】
前記画面送り部によって画面送り／戻しさせる対象画像が、前記記憶画像と前記外部画像の双方に選択された場合、双方の画像が互いに関連付けられていることを特徴とする請求項１に記載の資料提示装置。
【請求項３】
音声出力部を備えるとともに、前記記憶部には音声データが記憶され、前記他の画像データの代わりに、音声データが音声出力手段から出力されることを特徴とする請求項１または２に記載の資料提示装置。
【発明の詳細な説明】
【０００１】
【発明の属する技術分野】
本発明は、原稿等の資料を撮影し、その撮像をスクリーン等の画像表示手段に表示するプレゼンテーション用の資料提示装置に関する。
【０００２】
【従来の技術】
スクリーン等の画像表示手段に原稿等の資料を映し、その画像を参照しながら聴衆に対して資料の内容をプレゼンターが説明するプレゼンテーションを行う場合、近年では、広く普及していたＯＨＰ（オーバーヘッドプロジェクタ）に代わり、資料提示装置が用いられている。資料提示装置は、資料を被写体とするビデオカメラ等の動画用カメラを有し、カメラで撮影した資料画像を、例えば液晶プロジェクタ等の投影装置から、聴衆が視認するスクリーンに投影するようにして用いられている。
【０００３】
ところで、近年では、単に資料のみを聴衆に表示するだけにとどまらず、パソコン等の外部装置が生成したり保持したりする画像を資料提示装置と併合して利用できるようにし、プレゼンテーションの多様化を図っている。例えば、複数の画像を自動的に連続表示していくプレゼンテーション用ソフトウェアによって画像を生成し、その画像をパソコンから表示手段に出力する場合がある。
【０００４】
パソコンを併合した資料提示装置としては、特開２００１−１６４８９に示されるように、カメラ画像とパソコン画像とを切り換えて表示する装置が提案されれており、特開２０００−１２５３２２では、カメラとパソコン等の外部装置の他に、外部記憶媒体に記憶された画像の３系統の画像を切り換えて表示する装置が開示されている。また、特開平１１−２７５４１５には、外部記憶媒体に記憶された画像を出力するとともに、複数の画像の画面変換、すなわちページの送りや戻しをボタン操作で順次行うことができる装置が開示されている。さらに、特開平１１−２２５２８１の装置は、カメラの撮像を外部記憶媒体に記憶させ、その外部記憶媒体を介して画像をパソコン等の外部装置に出力することができるものである。
【０００５】
【発明が解決しようとする課題】
上記各公報に開示されるいずれの装置にあっても、プレゼンターは、手元の資料提示装置によって、表示手段に表示させる画像を、カメラ画像か、あるいはパソコンや記憶媒体等によるものかに切り換えることはできるが、パソコンの操作を資料提示装置側で行えるものではなかった。つまり、資料提示装置とパソコンとを併用してプレゼンテーションを行う場合には、例え画像の切り換えを資料提示装置側で行うことができても、結局のところ双方の操作が必要であった。このため、プレゼンターにとっては煩雑であり、円滑なプレゼンテーションを実施しにくかった。また、例えば連続表示用ソフトウエアによって予め作成した資料を表示していく際には、画像に応じた説明内容を暗記するかメモしておく必要があり、これはプレゼンターへの負担を招くとともに、不注意でメモの順番が表示画像のそれと異なってしまい、プレゼンターの混乱を招く場合があった。
【０００６】
したがって本発明は、資料提示装置によってパソコン等の外部装置の画像の出力操作を可能とし、また、プレゼンターが説明内容を暗記したりメモしたりすることを不要とすることにより、プレゼンターの負担が軽減され、より円滑なプレゼンテーションを実施することができる資料提示装置を提供することを目的としている。
【０００７】
【課題を解決するための手段】
本発明は、資料を撮影する撮像部と、撮像部による撮像および／または他の画像データを記憶する記憶部と、プレゼンターが視認するディスプレイと、出力画像を切り換え操作するための操作部と、撮像部により撮影された撮像部画像、記憶部に記憶された記憶画像、接続された外部装置の外部画像の各データが入力されるとともに、これら画像データを、操作部の出力画像切り換え信号に応じて、ディスプレイおよび聴衆等に対する画像出力部に供給する制御部とを備え、操作部には、ディスプレイおよび画像出力部のそれぞれに対し、撮像部画像、記憶画像タ、外部画像のいずれのデータを出力させるかを選択する画像切換部と、画面送り／戻しさせる対象画像が、記憶画像と外部画像のうちの一方、あるいは双方かを選択し、一方を選択した場合にはその選択画像に対して画面送り／戻しを行い、双方を選択した場合には、それらの画像を連動させて画面送り／戻しを行うことができる画面送り部とが設けられていることを特徴としている。
【０００８】
本発明の外部装置とは、具体的にはパソコン等である。また、記憶部は、当該装置の内部に搭載される内部記憶装置、あるいは当該装置に脱着されるリムーバブル型の外部記憶媒体等を言う。また、画像出力部とは、プロジェクタや他のディスプレイ等であって、プロジェクタの場合にはそのプロジェクタからスクリーン等に画像が投影される。
【０００９】
本発明の資料提示装置によれば、プレゼンターが視認するディスプレイと、画像出力部との２系統に画像が出力される。これらに出力される画像は、撮像部で撮影されるリアルタイムな撮像（撮像部画像）、記憶部に記憶された記憶画像、外部装置から供給される外部画像の３種類である。そして、操作部の画像切換部により、ディスプレイに出力される画像と、画像出力部に出力される画像を、上記３種類の画像のいずれかに切り換えることができる。すなわち、ディスプレイ、画像出力部の両者に対し、３種類の画像のうちの１つを任意に出力させることができる。これにより、資料提示装置側の画像（撮像部画像または記憶部画像）を資料提示装置によって出力させることができるのは勿論のこと、外部装置を操作することなく、この外部装置の画像を資料提示装置側でディスプレイや画像出力部に対し任意に出力させることができる。
【００１０】
次に、本発明の資料提示装置では、操作部の画面送り部により、出力させた各画像の画面送り／戻しを行うことができる。すなわち、画面送り部によって、その画面送り／戻しさせる対象画像として記憶画像か外部画像かのいずれか一方を選択し、選択した対象画像に対して画面送り／戻しを行うことができる。これにより、資料提示装置側の画像（記憶部画像または外部画像）を資料提示装置によって送り／戻しすることができるのは勿論のこと、外部装置を操作することなく、この外部装置の画像も送り／戻しすることができる。このように外部装置を操作することなく外部画像の送り／戻しを行うことができるので、プレゼンターにかかる負担が軽減する。
【００１１】
また、本発明の資料提示装置では、送り／戻しする対象画像を、記憶画像と外部画像の双方に設定することができる。例えば、記憶画像をディスプレイに、また、外部画像を画像出力部に出力させた状態で、双方の画像の送り／戻しを連動させて画面送り／戻しを行うことができる。
【００１２】
この連動機能において、ディスプレイへの出力画像を外部画像の説明メモにすれば、プレゼンターはディスプレイでその説明メモを見ながら外部画像を説明することができる。そして、外部画像を画面変換すると、ディスプレイにはその外部画像に応じた説明メモが逐一表示される。このように設定すると、プレゼンターは説明内容を暗記したり説明メモを作成したりする必要がなくなり、プレゼンテーションを円滑に進めることができる。ディスプレイへの出力画像は、上記説明メモ等、プレゼンターがプレゼンテーションを進めやすくする関連画像等が挙げられる。
【００１３】
本発明では、音声出力部を付加した構成とし、記憶部に記憶させた音声データを、画像データの代わりに音声出力手段から出力させてもよい。これによると、上記のように画面送り／戻しを連動させる場合、記憶画像の代わりに必要に応じて音声を出力させることができ、例えば、外部画像と相まって雰囲気が高まる音楽等を連動させて出力させれば、より充実したプレゼンテーションとなる。
【００１４】
【発明の実施の形態】
以下、図面を参照して本発明の一実施形態を説明する。
図１は一実施形態の資料提示装置１０を適用したプレゼンテーションシステムの構成を示す概略図、図４は同システムを系統的に示すブロック図である。図１に示すように、資料提示装置１０は、資料載置台１１と、この資料載置台１１にアーム１２を介して支持され、資料載置台１１に置かれた原稿等の資料を撮影するカメラ（撮像部）１３と、ディスプレイ１４と、スピーカ（音声出力手段）１５とを備えている。ディスプレイ１４は、資料載置台１１上の奥（図１で右側）に、資料載置台１１の前に位置する図示せぬプレゼンターに向けて後傾した状態で設置されている。スピーカ１５と同じ位置には、プレゼンター用のマイクを設置することができる。
【００１５】
資料載置台１１の内部には、図４に示すように制御部２０が搭載され、さらに、記憶部２１および画像／音声出力切換部２２が搭載されている。記憶部２１は、資料載置台１１の内部に設けられた内部記憶装置あるいは資料載置台１１に脱着される外部記憶媒体等で構成される。制御部２０には、カメラ１３による撮像の画像データが供給され、その画像データは、画像／音声出力切換部２２に直接供給されるか、あるいは一旦記憶部２１に記憶される。また、記憶部２１には、カメラ１３の撮像以外の他の画像データおよび必要に応じて音声データが記憶され、それらデータは、制御部２０により抽出されて画像／音声出力切換部２２に供給される。
【００１６】
また、制御部２０および画像／音声出力切換部２２には、パソコン（外部装置）３０が接続されている。パソコン３０では画像データが生成され、その画像データは画像／音声出力切換部２２に供給される。また、パソコン３０には制御部２０から後述する画面送り／戻しのコマンドが入力され、そのコマンドに従って画像データが画像／音声出力切換部２２に供給される。このように、画像／音声出力切換部２２には、カメラ１３による撮像の画像データ、記憶部２１に記憶されたデータ（画像データまたは音声データ）およびパソコン３０の画像データが供給される。そして、これらのデータは、制御部２０に入力される出力指示信号によって、画像データの場合はプロジェクタ（画像出力部）４０またはディスプレイ１４に出力され、音声データの場合はスピーカ１５に出力される。プロジェクタ４０に供給された画像データは、聴衆が視認する図示せぬスクリーンに投影される。なお、以下の説明では、カメラ１３による撮像をカメラ画像、記憶部２１に記憶された画像を記憶画像、パソコン３０による画像をパソコン画像と称する。
【００１７】
上記出力指示信号は、資料載置台１１の適宜な箇所に配置された図２に示す操作パネル（操作部）１６の各種キーを押すことによって制御部２０に入力される。操作パネル１６は、カメラキー部５０、画面送りキー部（画面送り部）６０、画像切換キー部（画像切換部）７０に分けられている。
【００１８】
操作パネル１６上のカメラキー部５０には、撮影キー５１および保存キー５２が配置されている。画面送りキー部６０には、画面送りキー６１、画面戻しキー６２、画面送り／戻しする対象画像を指定するパソコン画像キー６３、記憶画像キー６４および連動キー６５が配置されている。画像切換キー部７０には、ディスプレイ１４に出力する画像を切り換えるパソコン画像キー７１Ａ、記憶画像キー７２Ａおよびカメラ画像キー７３Ａが配置されている。また、同様に、プロジェクタ４０に出力する画像を切り換えるパソコン画像キー７１Ｂ、記憶画像キー７２Ｂおよびカメラ画像キー７３Ｂが配置されている。以下、図３を参照して、各キーを押した際の制御部２０および画像／音声出力切換部２２によってなされる機能の一例を説明する。
【００１９】
ａ．資料保存：図３（ａ）
資料載置台１１に資料を置き、カメラキー部５０の撮影キー５１を押す。資料はカメラ１３で撮影され（ステップＳ１０１）、続いて保存キー５２を押すと、カメラ画像が記憶部２１に保存される（ステップＳ１０２）。この動作を、保存を要する複数の資料に対して１つずつ繰り返し行えば、それら資料の画像データが記憶部２１に保存される。カメラ画像は、この場合ディスプレイ１４に表示されるとともに、必要に応じてプロジェクタ４０からスクリーンに投影される。
【００２０】
ｂ．資料の表示：図３（ｂ）
画像切換キー部７０におけるディスプレイ側のパソコン画像キー７１Ａ、記憶画像キー７２Ａ、カメラ画像キー７３Ａのいずれかを押して、ディスプレイ１４に出力する画像を、パソコン画像、記憶画像、カメラ画像のいずれかに指定する。また、同様に、画像出力側のパソコン画像キー７１Ｂ、記憶画像キー７２Ｂ、カメラ画像キー７３Ｂのいずれかを押して、プロジェクタ４０に出力する画像を、パソコン画像、記憶画像、カメラ画像のいずれかに指定する。ここでは、記憶画像キー７２Ａ，７２Ｂを押して、ディスプレイ１４およびプロジェクタ４０に対してともに記憶画像を出力することとする（ステップＳ２０１）。これによって、記憶画像が、ディスプレイ１４に表示されるとともにプロジェクタ４０からスクリーンに投影される。次に、画面送りキー部６０の記憶画像キー６４を押し（ステップＳ２０２）、この状態から、画面送りキー部６０の画面送りキー６１を押す都度、表示画面は次の画面に進行し、画面戻しキー６２を押せば前に表示された画面に後退する（ステップＳ２０３）。
【００２１】
ｃ．パソコン画面と連動表示：図３（ｃ）
上記と同様に、画像切換キー部７０におけるディスプレイ側のパソコン画像キー７１Ａ、記憶画像キー７２Ａ、カメラ画像キー７３Ａと、画像出力側のパソコン画像キー７１Ｂ、記憶画像キー７２Ｂ、カメラ画像キー７３Ｂとによって、ディスプレイ１４およびプロジェクタ４０に出力する画像を、それぞれパソコン画像、記憶画像、カメラ画像のいずれかに指定する。ここでは、記憶画像キー７２Ａ，パソコン画像キー７１Ｂを押して、ディスプレイ１４に出力する画像を記憶画像、プロジェクタ４０に出力する画像をパソコン画像とする（ステップＳ３０１）。これによって、パソコン画像がプロジェクタ４０からスクリーンに投影され、パソコン画像に関連付けられた記憶画像がディスプレイ１４に表示される。
【００２２】
次に、画面送りキー部６０の連動キー６５を押し（ステップＳ３０２）、次いで画面送りキー部６０の画面送りキー６１を押す都度、スクリーンには次のパソコン画像が投影されると同時に、ディスプレイ１４にはそのパソコン画像と関連付けられた記憶画像が表示され、画面送りが連動して進行していき、画面戻しキー６２を押せば、表示画面は連動的に前の画面に戻っていく（ステップＳ３０３）。
【００２３】
ｄ．パソコン画像の表示：図３（ｄ）
画像切換キー部７０における２つのパソコン画像キー７１Ａ，７１Ｂのうちの少なくとも一方を押し、パソコン画像をディスプレイ１４および／またはプロジェクタ４０に出力する。ここでは、パソコン画像キー７１Ａ，７１Ｂをともに押して、ディスプレイ１４およびプロジェクタ４０に対してパソコン画像を出力することとする（ステップＳ４０１）。これによって、パソコン画像が、ディスプレイ１４に表示されるとともにプロジェクタ４０からスクリーンに投影される。次に、画面送りキー部６０のパソコン画像キー６３を押し（ステップＳ４０２）、この状態から、画面送りキー部６０の画面送りキー６１を押す都度、表示画面は次の画面に進行し、画面戻しキー６２を押せば前に表示された画面に後退する（ステップＳ４０３）。
【００２４】
ｅ．カメラ画像の投影：図３（ｅ）
画像切換キー部７０における２つのカメラ画像キー７３Ａ，７３Ｂのうちの少なくとも一方を押し、カメラ画像をディスプレイ１４および／またはプロジェクタ４０に出力する。ここでは、カメラ画像キー７３Ａ，７３Ｂをともに押して、ディスプレイ１４およびプロジェクタ４０に対してカメラ画像を出力することとする（ステップＳ５０１）。次いで、カメラキー部５０の撮影キー５１を押すと、カメラ１３が撮影しているカメラ画像が、ディスプレイ１４に表示されるとともにプロジェクタ４０からスクリーンに投影される（ステップＳ５０２）。
【００２５】
本実施形態では、資料提示装置１０によって、資料を画像データとして保存することができ、また、カメラ画像、記憶画像およびパソコン画像を指定してディスプレイ１４およびプロジェクタ４０に表示させることができる。そして、資料提示装置１０側の記憶画像を操作パネル１６で送り／戻しすることができるのは勿論のこと、操作パネル１６によって、パソコン３０を操作することなくパソコン画像も送り／戻しすることができる。このようにパソコン３０を操作することなくパソコン画像の送り／戻しを行うことができるので、プレゼンターにかかる負担が軽減する。
【００２６】
また、パソコン画像を資料提示装置１０側で操作できるのみならず、上記「ｃ．パソコン画面と連動表示」機能で説明したように、スクリーンにはパソコン画像を投影し、ディスプレイ１４にはパソコン画像に関連付けられた別の画像を記憶部２１より抽出して出力し、さらに、双方の画像を同期させて画面送り／戻しを行うことができる。この連動機能は、例えば次のように応用することができる。
【００２７】
ディスプレイ１４に表示される記憶画像をパソコン画像の説明メモとし、プレゼンターはディスプレイ１４でその説明メモを見ながら、スクリーンに投影されているパソコン画像を説明する。パソコン画像を送り／戻しすれば、ディスプレイ１４にはそのパソコン画像に応じた説明メモが逐一表示されるのである。
【００２８】
図５は、このような連動機能の具体例を示している。これは、新製品の紹介の原稿であり、はじめのスクリーン表示画面（パソコン画像）には「１．商品の特徴」の概略が箇条書きされており、その左側のディスプレイ表示画面（記憶画像）には、特徴の詳細を説明するためのメモが記載されている。また、連動して切り替わった次の下側の画面では、スクリーン表示画面（パソコン画像）には「２．性能」の概略が箇条書きされており、その左側のディスプレイ表示画面（記憶画像）には、性能の詳細を説明するためのメモが記載されている。
【００２９】
このような画面設定により、プレゼンターは説明内容を暗記したり説明メモを作成したりする必要がなくなり、プレゼンテーションを円滑に進めることができる。ディスプレイに表示する画像は説明メモに限らず、プレゼンターがプレゼンテーションを進めやすくする様々な関連画像が挙げられる。
【００３０】
なお、この連動機能において、パソコン画像に連動させるデータを、記憶部２１に記憶させた音声とし、その音声をスピーカ１５から出力させることもできる。その場合、例えばパソコン画像と相まって雰囲気が高まる音楽等を再生させれば、より充実したプレゼンテーションを展開することができる。なお、音声は外部記憶媒体に記憶されているものでもよく、図４に示すように、当該資料提示装置１０に設けたマイク１７によって記憶部２１に記憶させてもよい。
【００３１】
【発明の効果】
以上説明したように、本発明によれば、ディスプレイと画像出力部の２系統に撮像部画像、記憶画像または外部画像を出力し、それら出力画像の切り換え、画面送り／戻し、さらには画面送り／戻しの連動を実行することができるので、プレゼンターにかかる負担が軽減されるとともに、充実したプレゼンテーションを円滑に進めることができるといった効果を奏する。
【図面の簡単な説明】
【図１】本発明の一実施形態に係る資料提示装置を適用したプレゼンテーションシステムの構成を示す概略図である。
【図２】資料提示装置に設けられる操作パネルである。
【図３】（ａ）〜（ｅ）は、それぞれ資料提示装置の各機能の流れを示すフローである。
【図４】一実施形態に係るシステムを系統的に示すブロック図である。
【図５】連動機能を説明するための具体的な画面の一例を示す図である。
【符号の説明】
１０…資料提示装置、１３…カメラ（撮像部）、１４…ディスプレイ、１５…スピーカ（音声出力手段）、１６…操作パネル（操作部）、２０…制御部、２１…記憶部、３０…パソコン（外部装置）、４０…プロジェクタ（画像出力部）、６０…画面送りキー部（画面送り部）、７０…画像切換キー部（画像切換部）。
【図１】
2004023530.tif 000003
【図２】
2004023530.tif 000004
【図３】
2004023530.tif 000005
【図４】
2004023530.tif 000006
【図５】
2004023530.tif 000007